(57)【要約】【課題】簡単な操作で常時定数の粒状物を取り出すことができ、しかも構造が簡単で製造も容易であり、安価に得られる粒状物収納容器を提案するものである。【解決手段】粒子状物４を収納する収納室Ａの側部に内部を連通して計量室Ｂを突設した容器体２と、該容器体を嵌合したケース３とから構成した。また、ケース３は計量室Ｂを突設した状態でケース本体１４に容器体２を嵌合させ、ケース本体１４の開口部に突出した計量室を被覆してケース蓋体１５を嵌着して構成している。そして、剥ぎ取り可能に構成した計量室の頂壁部を使用時に剥ぎ取り開口し、ここから計量した粒状物を取り出す如く構成している。【選択図】図１
2004182243.tif 000002
【特許請求の範囲】
【請求項１】
粒状物４を収納する収納室Ａの側部に、該収納室Ａと連通する計量室Ｂを突設するとともに、該計量室Ｂの頂壁部を剥ぎ取り可能に構成した容器体２と、該容器体２を嵌合したケース３とを備え、該ケース３は、上記計量室Ｂを突設した状態で上記容器体２を嵌合したケース本体１４と、該ケース本体１４開口部に、上記突出した計量室を被覆して嵌着したケース蓋体１５とからなることを特徴とする粒状物収納容器。
【請求項２】
上記容器体２が、収納室形成用凹部ａの側方に該収納室形成用凹部ａと連通する計量室形成用凹部ｂを連設した皿状の容器本体５と、上記収納室形成用凹部ａ及び計量室形成用凹部ｂの上端開口を閉塞して固着するとともに、上記計量室形成用凹部ｂ上端開口部分を剥ぎ取り可能に構成したシート材６とで形成し、上記収納室形成用凹部ａとその上方のシート材とで上記収納室Ａを画成するとともに、上記計量室形成用凹部ｂとその上方のシート材６とで上記計量室Ｂを画成してなる請求項１記載の粒状物収納容器。
【請求項３】
上記容器体２がガスバリヤー性材質で形成されてなる請求項１又は請求項２のいずれかに記載の粒状物収納容器。
【発明の詳細な説明】
【０００１】
【発明の属する技術分野】
本発明は粒状物収納容器に関する。
【０００２】
【従来の技術】
粒状物収納容器として、簡単な操作で定量の錠剤を取り出すことが出来るものが提案されている（例えば、特許文献１参照）。
【０００３】
ここに示されている錠剤容器は、容器体口頸部外周に嵌合させた周壁上端縁より内方へ、口頸部上端開口の前部を被覆する計量皿を延設してなるキャップ本体と、本体上面を開閉可能に閉塞する蓋体とを備え、また、口頸部内後部に後部を回動可能に連結した揺動蓋板を上下揺動可能に設け、蓋体と揺動蓋板を連結棒で連係させて、閉蓋時に於ける計量皿との間に錠剤の通過が可能な隙間をあけた状態と、開蓋時における錠剤の通過が不能な状態との間を、蓋体の開閉に伴って揺動蓋板が揺動する如く構成している。
【０００４】
上記錠剤容器は、簡単な操作で所定量の錠剤を定量することができ、また、開蓋した際に容器体内の余分な錠剤の飛び出しを防止でき、次いで容器を傾ければ計量した所定量の錠剤を取り出すことができて極めて使い勝手の良いものである。
【０００５】
【特許文献１】
特開平１１−２０８７０３号公報（第２−４頁，図１）
【０００６】
【発明が解決しようとする課題】
本発明は上記した従来の容器の特徴を備えつつ、しかも更に改良を加えたものである。即ち、上記効果に加え、構造が極めて簡単で製造上、経済上のメリットを備えた粒状物収納容器を提案するものである。
【０００７】
【課題を解決するための手段】
本請求項１の粒状物収納容器は、上記課題を解決するため、粒状物４を収納する収納室Ａの側部に、該収納室Ａと連通する計量室Ｂを突設するとともに、該計量室Ｂの頂壁部を剥ぎ取り可能に構成した容器体２と、該容器体２を嵌合したケース３とを備え、該ケース３は、上記計量室Ｂを突設した状態で上記容器体２を嵌合したケース本体１４と、該ケース本体１４開口部に、上記突出した計量室を被覆して嵌着したケース蓋体１５とからなることを特徴とする粒状物収納容器として構成した。
【０００８】
また、請求項２発明の粒状物収納容器は、上記容器体２が、収納室形成用凹部ａの側方に該収納室形成用凹部ａと連通する計量室形成用凹部ｂを連設した皿状の容器本体５と、上記収納室形成用凹部ａ及び計量室形成用凹部ｂの上端開口を閉塞して固着するとともに、上記計量室形成用凹部ｂ上端開口部分を剥ぎ取り可能に構成したシート材６とで形成し、上記収納室形成用凹部ａとその上方のシート材とで上記収納室Ａを画成するとともに、上記計量室形成用凹部ｂとその上方のシート材６とで上記計量室Ｂを画成してなる請求項１記載の粒状物収納容器として構成した。
【０００９】
また、請求項３発明の粒状物収納容器は、上記容器体２がガスバリヤー性材質で形成されてなる請求項１又は請求項２のいずれか記載の粒状物収納容器。
【００１０】
【発明の実施の形態】
以下、本発明の実施例の形態を図面を参照して説明する。
【００１１】
図面に示す如く本発明の粒状物収納容器１は、容器体２と、ケース３とを備えている。
【００１２】
容器体２は合成樹脂等により形成されたもので、粒状物４を収納する収納室Ａの側部に、該収納室Ａと連通する計量室Ｂを突設するとともに、該計量室の頂壁部を剥ぎ取り可能に構成している。尚、容器体２はガスバリヤー性材質で形成したものが好ましい。
【００１３】
上記計量室Ｂは当然一定容積をなすため導入される粒状物は常時定数となるが、予め必要数の収納スペースとしておけば、収納粒状物の特性に応じて一回の取り出しに必要定数の粒状物を取り出すことができる。また、収納室Ａから計量室Ｂへの連通開口部は、その定数により適宜選択することができ、定数が１の場合には一つの粒状物が通過可能な大きさに、また、定数が複数の場合には、その数に応じた広さとすれば良い。
【００１４】
この様な容器体２は、例えば、図３に示す如く、容器本体５と、シート材６とで形成することができる。容器本体５は、収納室形成用凹部ａの側方に該収納室形成用凹部ａと連通する計量室形成用凹部ｂを連設した皿状をなしている。
【００１５】
図示例に於いて、容器本体５は合成樹脂製であり、上記収納室形成用凹部ａ及び計量室形成用凹部ｂを画成する底壁部８の周縁部より、上記収納室形成用凹部ａ及び計量室形成用凹部ｂを画成する周壁部９を立設し、周壁部９上端縁より外方へフランジ１０を延設している。また、計量室形成用凹部ｂ突設部分に隣接する収納室形成用凹部一側部のフランジ１０を幅広に形成し、この幅広部１０ａ  上に後述する切取部の一部を設けている。また、上記周壁部９の所定位置には係合突起１１を突設している。
【００１６】
上記の如き容器本体５は、例えば、真空成形，圧空成形，真空圧空成形に代表される公知のシート成形方法により形成することができる。また、形成する材質として一般的な合成樹脂によりその気密性を充分発揮できるものではあるが、収納物の種類に応じてガスバリヤー性を備えることが好ましく、その場合、ガスバリヤー性材質により容器体を形成すると良く、例えば、ガスバリヤー性に富んだ合成樹脂の単独シート或いは積層シート、或いは合成樹脂シートと金属薄膜層との積層シートを用いて上記形成方法により形成することができる。ガスバリヤー性に富んだ合成樹脂として、例えば、ポリ塩化ビニリデン共重合体，ポリエチレンテレフタレート，ポリアミド，エチレン−酢酸ビニル共重合体等が挙げられる。
【００１７】
また、シート材６も合成樹脂等により形成したもので、上記収納室形成用凹部ａ及び計量室形成用凹部ｂの上端開口を閉塞して周縁部を容器本体上端部に固着するとともに、上記計量室形成用凹部ｂの上端開口部分を剥ぎ取り可能に構成している。そして、上記収納室形成用凹部ａとその上方のシート材とで上記収納室Ａを画成するとともに、上記計量室形成用凹部ｂとその上方のシート材とで上記計量室Ｂを画成している。
【００１８】
図示例では、上記フランジ１０上に周縁部を融着，接着等の適宜固着手段により固着させてシート材６を容器本体５に固着させている。また、上記収納室Ａと計量室Ｂとの境界部分を通ってシート材６を横断する薄肉の破断線１２を設けて帯状の切取部１３を画成し、この切取部１３を剥ぎ取ることにより計量室Ｂの上端が開口する如く構成している。また、切取部１３の一端はフランジ１０より突出させて指を掛け易く構成している。この場合のシート材６も、ガスバリヤー性を備えたものが好ましく、その場合には、例えば上記と同様のシートを所定形状に裁断して形成することができる。尚、上記薄肉の破断線１２を設ける代わりに、一軸延伸したシート材を採用して、切取部１３の境界を延伸方向に沿って容易な切断ができる如く構成したものがであっても良い。
【００１９】
ケース３も合成樹脂等により形成されたもので、ケース本体１４と、ケース蓋体１５とから構成している。ケース本体１４は、上記計量室Ｂを突設した状態で上記容器体２を嵌合した一側端閉塞の筒状をなしている。また、ケース蓋体１５は、ケース本体１４開口部に上記突出した計量室Ｂを被覆して嵌合している。
【００２０】
図示例では、ケース本体１４は一側端を閉塞した横長の矩形筒状をなし、開口部側の外面に係止段部１６を周設している。また、その内周には容器体２の上記係合突起１１が乗越え係合する係止突起１７を突設している。また、ケース蓋体１５は、ケース本体１４と一体に形成し、開口部の一端を公知の弾性反転機構を介してケース本体１４と開閉可能に連結しており、閉じた際に上記係止段部１６により当接係止される如く構成している。
【００２１】
収納する粒状物４としては薬剤或いは菓子などの粒状のものを用いることができ、また、図示例では球状のものが使用されているが、これに限らず、非球状のものであっても良い。
【００２２】
上記の如く構成した粒状物収納容器１を使用するに当たっては、例えば、図１の状態から予め切取部１３を剥ぎ取って計量室Ｂ上端開口を開放し、次いで全体を計量室Ｂ側に傾倒させると所定数の粒状物４が計量室Ｂ内に導入され、次いで、ケース蓋体１５を開いて全体を反転させれば計量された粒状物４が取り出せる。
【００２３】
【発明の効果】
以上説明した如く、本発明の粒状物容器は、既述構成としたことにより、簡単な操作により常時定数の粒状物を取り出すことができ、しかも構造が簡単で、製造も容易であり安価に得られる利点がある。また、収納粒状物がなくなった際には容器体のみを交換することができる利点もある。
【００２４】
また、上記容器体２が、収納室形成用凹部ａの側方に該収納室形成用凹部ａと連通する計量室形成用凹部ｂを連設した皿状の容器本体５と、上記収納室形成用凹部ａ及び計量室形成用凹部ｂの上端開口を閉塞して固着するとともに、上記計量室形成用凹部ｂ上端開口部分を切除可能に構成したシート材６とで形成し、上記収納室形成用凹部ａとその上方のシート材とで上記収納室Ａを画成するとともに、上記計量室形成用凹部ｂとその上方のシート材６とで上記計量室Ｂを画成してなるものにあっては、容器体２はその容器本体をシート成形により形成することができるため、より簡単に安価に製造できる利点を兼ね備えている。
【００２５】
また、上記容器体２がガスバリヤー性材質で形成されてなるものにあっては、酸化等に起因する収納粒状物の劣化を長期にわたって防止することができるものである。
【図面の簡単な説明】
【図１】本発明の一実施例を示す分解斜視図である。
【図２】同実施例の縦断面図である。
【図３】同実施例の容器体を示す分解斜視図である。
【図４】同実施例の開封状態の斜視図である。
【符号の説明】
２…容器体，３…ケース，４…粒状物，５…容器本体，６…シート材，
１４…ケース本体，１５…ケース蓋体，Ａ…収納室，Ｂ…計量室，
ａ…収納室形成用凹部，ｂ…計量室収納凹部
【図１】
2004182243.tif 000003
【図２】
2004182243.tif 000004
【図３】
2004182243.tif 000005
【図４】
2004182243.tif 000006